(57)【要約】【課題】簡易な構成及び処理で、動画ぼけを抑制することができるバックライト装置を提供する。【解決手段】複数のバックライト駆動部１３０はカスケード接続されており、副走査方向Ｙの最上位置及び最下位置のいずれか一方のバックライト群１４に対応するバックライト駆動部１３０に駆動信号が入力されたとき、複数のバックライト駆動部１３０の各々は、バックライト駆動部１３０の配列順に、駆動信号を予め定められた期間遅延させて出力する。【選択図】図３
2014206606.tif 000002
【特許請求の範囲】
【請求項１】
液晶画面の主走査方向に配列され、当該液晶画面の背面を照射する複数のバックライトの一群であるバックライト群が、前記液晶画面の副走査方向に、複数配列されて構成された複数のバックライト群と、
前記各バックライト群に接続され、当該バックライト群を駆動する複数のバックライト駆動部と、
前記複数のバックライト群のうち、前記副走査方向の最上位置及び最下位置のいずれか一方のバックライト群に接続された前記バックライト駆動部に接続され、当該バックライト駆動部を、予め設定された期間である設定期間の間駆動させる駆動信号を出力する信号出力部と、を備えており、
前記複数のバックライト駆動部はカスケード接続されており、前記副走査方向の最上位置及び最下位置のいずれか一方の前記バックライト群に対応する前記バックライト駆動部に前記駆動信号が入力されたとき、前記複数のバックライト駆動部の各々は、前記バックライト駆動部の配列順に、前記駆動信号を予め定められた期間遅延させて出力する
バックライト装置。
【請求項２】
前記複数のバックライト駆動部の各々は、
前記駆動信号の出力を遅延させて出力することによって、当該駆動信号の位相を変化させる
請求項１に記載のバックライト装置。
【請求項３】
前記複数のバックライト駆動部の各々は、
分圧抵抗により得られる分圧電圧の印加を受けて駆動し、
下記の式（１）を満たすように前記駆動信号を遅らせる
請求項１または２に記載のバックライト装置。
Ｔ１／Ｔ２＝Ｒ１１／Ｒ１２・・・式（１）
但し、Ｔ１は前記駆動信号の遅延時間、Ｔ２は前記駆動信号の１周期から遅延時間を減じて得られた時間、Ｒ１１及びＲ１２は、前記バックライト駆動部の各々に対応する分圧抵抗を示す。
【請求項４】
前記バックライト駆動部の各々は、
分圧抵抗により得られる分圧電圧の印加を受けて駆動し、
入力される前記駆動信号の周期をカウントするカウンタと、
分圧抵抗に電圧を印加する電圧印加部と、を備え、
下記の式（２）を満たすように前記駆動信号を遅らせて出力する
請求項１または２に記載のバックライト装置。
Ｔ１＝Ｃ（Ｔｐ）×（Ｖ１１／Ｖ１）・・・式（２）
但し、Ｔ１は前記駆動信号の遅延時間、Ｃ（Ｔｐ）は前記駆動信号の周期、Ｖ１１は前記分圧抵抗により分割された分圧電圧、Ｖ１は電圧印加部による電圧値を示す。
【請求項５】
請求項１〜４のいずれか１項に記載のバックライト装置と、
画像を現す画像信号を受け付けて前記画像を表示する液晶画面であって、当該液晶画面の背面が前記バックライト装置により照射される液晶画面と、
を備える表示装置。
【発明の詳細な説明】
【技術分野】
【０００１】
本発明は、バックライト装置及びそれを備える表示装置に関する。
【背景技術】
【０００２】
最近、テレビジョンやモニター等の表示装置として、これまでのブラウン管に代えて液晶ディスプレイ装置（以下、表示装置と呼ぶ）が普及してきている。
【０００３】
この種の表示装置は、液晶画面内の液晶分子の向きを変化させるとともに、液晶画面の背面からバックライトを照射させることにより、液晶画面上に画像を表示する。
【０００４】
ところで、この種の表示装置では、液晶画面の背面側のバックライトをＰＷＭ（Ｐulse Ｗidth Ｍodulation）制御により点灯或いは消灯させているが、ＰＷＭ制御ではデューティ信号をバックライトに出力している。そのため、オフデューティ期間ではバックライトが消灯するため、すべてのバックライトが同じ期間で点灯及び消灯している。同時点灯及び消灯させない技術が、下記特許文献１を始め、種々、開発されている。特許文献１では、定電圧出力回路が定電流を各ＬＥＤに同時に流さないようにすることで、動画ぼけの防止を図っている。
【０００５】
図８は、従来の表示装置の構成を概略的に示す図である。なお、図８において図３と同一の構成部材には同一の符号を付しており、各構成部材の詳細は後述する。
【０００６】
表示装置１００では、ＳＯＣ（System-on-a-chip）（１２０）からは、画像信号とは同期しない信号である非同期のデューティ信号が、駆動信号として、ＬＥＤ駆動部１３０（１）〜１３０（ｎ）の各々に向けて出力される。一方で、液晶画面２側では、ソースドライバ１６，１６・・・や、ゲートドライバ１３，１３・・・が配置されている。ソースドライバ１６及びゲートドライバ１３は、それぞれ、液晶画面内に配置されたＦＥＴ（Field effect transistor）のソース及びゲートを駆動させるためのもので、そのＦＥＴの数に応じた数だけ配置されている。
【０００７】
また、液晶画面２側では、プリント基板１１上に配置されたタイミングコントローラ１１０が設けられている。そして、ＬＥＤ駆動部１３０（１）〜１３０（ｎ）の各々には、液晶画面２の背面を照射するＬＥＤ群１４（１）〜１４（ｎ）が配置されている。各ＬＥＤ群は、ＬＥＤが液晶画面２の主走査方向（以下、Ｘ方向と呼ぶ）に複数配置されることにより構成されている。このＬＥＤ群は、液晶画面２の副走査方向（以下、Ｙ方向と呼ぶ）に複数配置されており、液晶画面２全体を背面から照射する。各ＬＥＤ群により照射された光は拡散板１５により拡散される。
【０００８】
この構成においては、複数のＬＥＤ駆動部１３０が並列に接続されており、各ＬＥＤ駆動部１３０を跨ぐ共通の配線にＳＯＣ１２０が接続されている。そのため、ＳＯＣ１２０から各ＬＥＤ駆動部には同位相の駆動信号が出力される。このような構成においてにおいては、各ＬＥＤが一斉に、同時点灯及び消灯するために、動画ぼけが発生する。動画ぼけを軽減するために、表示最新にあわせた点灯及び消灯が望まれる。
【０００９】
そこで、図９に示す従来の別の表示装置が開発されている。図９も表示装置を概略的に示した図である。なお、図９において、説明の容易化のため、図８と同一の構成要素については、図８と同一の参照符号を付して説明を省略する。
【００１０】
この表示装置１０１では、タイミングコントローラ１１０が、前記非同期のデューティ信号を受け付け、当該デューティ信号を加工することにより、ＬＥＤ駆動部１３０（１）〜ＬＥＤ駆動部１３０（ｎ）の順に位相差を設けて、それぞれのＬＥＤ駆動部に、ＬＥＤ駆動部１３０（１）〜１３０（ｎ）の順に駆動信号（１）〜（ｎ）を出力する。すると、図１１に示す波形が得られる。
【００１１】
図１１は、図９に示される表示装置の動作を示したタイミングチャートである。なお、図１１において、説明の容易化のため、駆動信号として、４つの駆動信号（１）〜（４）を例示している。
【００１２】
図１１において、垂直同期信号は、１画面あたりの画像出力の始まりを通知するための信号であり、非同期駆動信号は垂直同期信号とは無関係に出力される。駆動信号（１）〜（４）は、タイミングコントローラ１１０によって非同期駆動信号を加工して得られた信号であり、それぞれ等しい遅延時間（Ｔ１）の間隔で、ＬＥＤ駆動部１３０（１）〜１３０（４）の順に出力される。なお、Ｔは駆動信号のオンデューティ期間を示す。
【００１３】
また、図１１に示す波形は、図１０に示す表示装置によっても得られる。図１０も、従来の別の表示装置を概略的に示した図である。なお、図１１においても、説明の容易化のため、図８と同一の構成要素については、図８と同一の参照符号を付して説明を省略する。
【００１４】
この表示装置１０２では、ＳＯＣ１２０が、前記非同期のデューティ信号を加工することにより、ＬＥＤ駆動部１３０（１）〜ＬＥＤ駆動部１３０（ｎ）の順に、遅延時間Ｔ１の間隔で、それぞれのＬＥＤ駆動部に駆動信号（１）〜（４）を出力する。
【先行技術文献】
【特許文献】
【００１５】
【特許文献１】特開２００９−１８８１３５号公報
【発明の概要】
【発明が解決しようとする課題】
【００１６】
ところが、上記した従来の技術では、以下の課題が存在する。つまり、図８における表示装置では、動画ぼけを完全に抑制することができない。  また、図９における表示装置では、各ＬＥＤ駆動部への駆動信号に位相差を設けているので、図９における表示装置よりも動画ぼけをより抑制できるが、タイミングコントローラと各ＬＥＤ駆動部とを結ぶ配線が必要となる。この配線の数はＬＥＤ群の数が大きくなるほど大きくなるので、コスト高の要因となる。
【００１７】
さらに、図１０における表示装置でも、ＳＯＣと各ＬＥＤ駆動部とを結ぶ配線の数が、ＬＥＤ群の数が大きくなるほど大きくなるので、コスト高の要因となる。
【００１８】
さらに、ＳＯＣ或いはタイミングコントローラと各ＬＥＤとを結ぶ配線の数が増えると、それに応じてＳＯＣやタイミングコントローラの構成を変更する必要がある。
【００１９】
本発明は、上述の課題を解決するためになされたものであり、簡易な構成及び処理で、動画ぼけを抑制することができるバックライト装置及びそれを備える表示装置を提供することを目的とする。
【課題を解決するための手段】
【００２０】
上記目的を達成するために、本発明の一態様に係るバックライト装置は、液晶画面の主走査方向に配列され、当該液晶画面の背面を照射する複数のバックライトの一群であるバックライト群が、前記液晶画面の副走査方向に、複数配列されて構成された複数のバックライト群と、前記各バックライト群に接続され、当該バックライト群を駆動する複数のバックライト駆動部と、前記複数のバックライト群のうち、前記副走査方向の最上位置及び最下位置のいずれか一方のバックライト群に接続された前記バックライト駆動部に接続され、当該バックライト駆動部を、予め設定された期間である設定期間の間駆動させる駆動信号を出力する信号出力部と、を備えており、前記複数のバックライト駆動部はカスケード接続されており、前記副走査方向の最上位置及び最下位置のいずれか一方の前記バックライト群に対応する前記バックライト駆動部に前記駆動信号が入力されたとき、前記複数のバックライト駆動部の各々は、前記バックライト駆動部の配列順に、前記駆動信号を予め定められた期間遅延させて出力する。
【００２１】
この構成によると、液晶画面の副走査方向に配列された複数のバックライト群の各々に対応するバックライト駆動部がカスケード接続されており、液晶画面の副走査方向の最上位置及び最下位置のいずれか一方のバックライト群に対応するバックライト駆動部に駆動信号を出力すれば、駆動信号を最初に受け付けたバックライト駆動部から各バックライト駆動部の配列順に、駆動信号が予め定められた期間遅延させて出力される。
【００２２】
つまり、各ＬＥＤ駆動部は、隣接する前段のＬＥＤ駆動部から駆動信号を受け付けたとき、前記隣接するＬＥＤ駆動部とは反対側で隣接する次段のＬＥＤ駆動部へ駆動信号を予め定められた期間遅延させて出力する。このようなＬＥＤ駆動部の処理だけで、各ＬＥＤを副走査方向の配列順に点灯させることができるため、動画ぼけを簡易な構成及び処理によって抑制することができる。
【００２３】
例えば、前記バックライト駆動部の各々は、前記駆動信号の出力を遅延させて出力することによって、当該駆動信号の位相を変化させてもよい。これにより、駆動信号の出力を遅延させるだけで、簡易に駆動信号の位相を変化させることができるので、低コストで遅延回路を構成でき、結果、低コストで、動画ぼけを防止することができる。
【００２４】
また、前記バックライト駆動部の各々は、分圧抵抗により得られる分圧電圧の印加を受けて駆動し、下記の式（１）を満たすように前記駆動信号を遅らせて出力してもよい。
【００２５】
Ｔ１／Ｔ２＝Ｒ１１／Ｒ１２・・・式（１）
【００２６】
但し、Ｔ１は前記駆動信号の遅延時間、Ｔ２は前記駆動信号の１周期から遅延時間を減じて得られた時間、Ｒ１１及びＲ１２は、前記バックライト駆動部に対応する各々の分圧抵抗をそれぞれ示す。
【００２７】
この構成によれば、駆動信号の遅延時間Ｔ１と、駆動信号の１周期から遅延時間Ｔ１を減じて得られた時間Ｔ２との間の比率が、分圧抵抗Ｒ１１と分圧抵抗Ｒ１２との間の比率と等しくなるように、分圧抵抗Ｒ１１及びＲ１２を設ければよいので、簡易な手法で、遅延時間を設定することが可能となる。
【００２８】
或いは、前記複数のバックライト駆動部の各々は、分圧抵抗により得られる分圧電圧の印加を受けて駆動し、入力される前記駆動信号の周期をカウントするカウンタと、分圧抵抗に電圧を印加する電圧印加部と、を備え、下記の式（２）を満たしてもよい。
【００２９】
Ｔ１＝Ｃ（Ｔｐ）×（Ｖ１１／Ｖ１）・・・式（２）
【００３０】
但し、Ｔ１は前記駆動信号の遅延時間、Ｃ（Ｔｐ）は前記駆動信号の周期、Ｖ１１は前記分圧抵抗により分圧された分圧電圧、Ｖ１は電圧印加部による電圧値を示す。
【００３１】
この構成によれば、駆動信号の周期をカウントするカウンタを設け、当該カウンタによるカウント値と、分圧電圧Ｖ１１を電圧印加部による電圧値Ｖ１で割って得られた値との乗算値が遅延時間になるので、前記カウント値と、前記乗算値との積とで、簡易な手法で、遅延時間を設定することが可能となる。
【００３２】
また、本発明の他の態様に係る表示装置は、上述のバックライト装置と、画像を現す画像信号を受け付けて前記画像を表示する液晶画面であって、当該液晶画面の背面が前記バックライト装置により照射される液晶画面と、を備える。
【００３３】
この構成によると、先述のバックライト装置を備えるので、先述の効果を発揮する表示装置を提供することができる。
【発明の効果】
【００３４】
本発明によると、簡易な構成及び処理で、表示画面の動画ぼけを抑制することができる。
【図面の簡単な説明】
【００３５】
【図１】本発明の実施の形態に係る表示装置の斜視図である。
【図２】本発明の実施の形態に係る表示装置の機能ブロック図である。
【図３】液晶画面に配置されたＬＥＤ群（バックライト群）を概略的に示した図である。
【図４】ＬＥＤ駆動部の一例を概略的に示した図である。
【図５】表示装置の動作の一例を示したタイミングチャートである。
【図６】遅延時間の設定方法の一例について説明するためのタイミングチャートである。
【図７】ＬＥＤ駆動部の機能構成の他の例を示した図である。
【図８】従来の表示装置の構成を概略的に示す図である。
【図９】従来の表示装置の構成を概略的に示す図である。
【図１０】従来の表示装置の構成を概略的に示す図である。
【図１１】従来の表示装置の動作を説明するための図である。
【発明を実施するための形態】
【００３６】
以下、本発明の実施の形態について、図面を用いて詳細に説明する。なお、以下で説明する実施の形態は、いずれも本発明の好ましい一具体例を示すものである。以下の実施の形態で示される数値、構成要素、構成要素の配置位置及び接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３７】
＜表示装置の外観構成＞
図１は、本発明の実施の形態に係る表示装置の斜視図である。表示装置１はいわゆる液晶ディスプレイであり、液晶画面２が表示装置１の前面に設けられている。そして、表示装置１には、脚部３が含まれ、脚部３を机などに置くことによって、表示装置１を平面上に置くようになっている。
【００３８】
＜表示装置の機能ブロック構成＞
図２は、本発明の実施の形態に係る表示装置の機能ブロック図である。尚、図２では、構成の理解の容易を図るため、バックライト装置４を液晶画面２の主走査方向（以下、Ｘ方向という）に見ており、液晶画面２を正面から見ている。
【００３９】
この表示装置１は、本発明の実施の形態に係るバックライト装置４と、液晶画面２と、タイミングコントローラ１１０を取り付けたプリント基板１１と、ゲートドライバ１３と、ソースドライバ１６と、ＳＯＣ（信号処理部）１２０を取り付けたプリント基板１２と、を備える。
【００４０】
液晶画面２の背面には、液晶画面のＸ方向及び副走査方向（以下、Ｙ方向という）のそれぞれに向けて、液晶分子の方向を変えるための複数のｎチャネル型のＦＥＴが配列されている。また、液晶画面２の背面では、ゲートドライバ１３・・・、及び、ソースドライバ１６・・・が配置されている。ゲートドライバ１３及びソースドライバ１６は、それぞれ、液晶画面内に配置されたＦＥＴのソース及びゲートを駆動させるためのもので、そのＦＥＴの数に応じた数だけ配置されている。
【００４１】
ゲートドライバ１３及びソースドライバ１６のそれぞれは、各ＦＥＴのゲート電圧及びソース電圧を供給している。各ＦＥＴは、ゲート電圧が供給されると、ドレイン電流が流れ、これにより、各ＦＥＴがオンする。
【００４２】
なお、図２では、液晶分子の向きを変えるためにＦＥＴが用いられているが、本発明ではこの例には限られず、バイポーラトランジスタなど、スイッチング機能を有する素子を用いることができる。
【００４３】
バックライト装置４は、ＬＥＤ駆動部１３０（１）〜１３０（ｎ）と、ＬＥＤ群１４（１）〜１４（ｎ）とを備える。
【００４４】
＜ＬＥＤ群の概略構成＞
図３は、液晶画面２に配置されたＬＥＤ群（バックライト群）を概略的に示した図である。ＬＥＤ群１４（１）〜１４（ｎ）の各々は、ＬＥＤ１４０が液晶画面２のＸ方向に複数配列されて構成されている。そして、ＬＥＤ群１４（１）〜１４（ｎ）は、液晶画面２のＹ方向に、ＬＥＤ群１４（１）〜１４（ｎ）の順にされている。ＬＥＤ群１４（１）〜１４（ｎ）の各々は、液晶画面２の背面を、ＬＥＤ群１４（１）〜１４（ｎ）の順に照射する。ＬＥＤ群１４（１）〜１４（ｎ）の各々により照射された光は、先述の拡散板１５によって拡散される。
【００４５】
＜ＬＥＤ駆動部の概略構成＞
図４は、ＬＥＤ駆動部１３０（１）〜１３０（ｎ）の一例を概略的に示した図である。なお、図４では、ＬＥＤ駆動部として、説明の容易化のため、４つのＬＥＤ駆動部（バックライト駆動部）１３０（１）〜（４）を例示しているが、本発明ではこの例には限られず、複数のＬＥＤ駆動部が配置されていればよい。また、ＬＥＤ駆動部１３０（１）〜１３０（ｎ−１）については同様の構成であるが、Ｙ方向の最下位置のＬＥＤ駆動部１３０（ｎ）にとっては、後段のＬＥＤ駆動部が存在しないため、遅延時間を設ける必要がない。そのため、ＬＥＤ駆動部１３０（ｎ）には遅延回路１３１を設けていない。
【００４６】
ＬＥＤ駆動部１３０（１）〜１３０（４）の各々は、カスケード接続されている。ＬＥＤ駆動部１３０（１）〜（ｎ）の各々に対応して、駆動信号を各ＬＥＤ群に出力するためのスイッチング回路１３２を備える。スイッチング回路１３２では、例えばｎチャネル型のＦＥＴからなるスイッチング素子Ｑ１が設けられており、そのソースとグランドとの間には、抵抗５０が接続されている。尚、スイッチング素子Ｑ１としては、バイポーラトランジスタなど、スイッチング機能を有する素子をスイッチング素子として用いることができる。
【００４７】
また、スイッチング素子Ｑ１のゲートには、ＬＥＤ駆動部１３０（１）〜１３０（４）の各々が接続されており、ＬＥＤ駆動部１３０（１）〜１３０（４）の各々が受け付けた駆動信号が前記ゲートに出力される。これにより、スイッチング回路１３２がオンし、ＬＥＤ群の各々へ、オンデューティ信号が駆動信号として出力される。
【００４８】
また、ＬＥＤ駆動部１３０（１）〜１３０（４）の各々は、遅延回路１３１を備える。遅延回路１３１の各々は、例えば、位相変化回路からなる。遅延回路１３１の各々は、駆動信号を受け付け、当該駆動信号を予め定められた遅延時間、遅延させることにより、その信号の位相を変える（フェイズシフトする）。
【００４９】
遅延回路１３１は、定電圧回路１３３（１）〜１３３（４）の各々により生じた電圧の印加を受け付けて駆動信号を遅延させる。各定電圧回路は、ＬＥＤ駆動部１３０（１）〜１３０（４）の各々に対応して配置されている。例えば、ＬＥＤ駆動部１３０（１）に対応する定電圧回路は定電圧回路１３３（１）である。
【００５０】
定電圧回路１３３（１）〜１３３（４）の各々は、以下の構成とされている。なお、以下では、ＬＥＤ駆動部１３０（１）に対応する定電圧回路１３３（１）の構成について説明するが、他の定電圧回路１３３（２）〜（ｎ−１）についても、定電圧回路１３３（１）と同様の構成であるため、説明を省略する。
【００５１】
定電圧回路１３３（１）は、電源Ｖ１とグランドとの間に、直列に接続された２つの分圧抵抗Ｒ１１及びＲ１２を有している。遅延回路１３１は、分圧抵抗Ｒ１１及びＲ１２との間で生じた分圧電圧の供給を受けて駆動信号を遅延させる。
【００５２】
＜表示装置の動作＞
次に、先述の構成の表示装置１の動作の一例を、図２〜図５を用いて説明する。図５は、表示装置１の動作の一例を示したタイミングチャートである。
【００５３】
図２において、表示装置１は、図示しないテレビチューナにより、放送局から、映像信号を受信する。映像信号には、垂直同期信号及び水平同期信号が含まれているので、表示装置１は、これらの信号に基づいて同期を取って、映像信号で表される画像を液晶画面に表示する。
【００５４】
液晶画面２では、その背面に配置されたＦＥＴがオンオフされて、液晶分子の向きが変化することにより、液晶画面２上に映像信号に基づく画像が表示される。
【００５５】
そのとき、バックライト装置４では、以下に示すように動作する。すなわち、図５に示すように、ＳＯＣ１２０からは、垂直同期信号の立ち下がりエッジに同期して、ＬＥＤ駆動部１３０（１）へ、オンデューティ期間がＴの駆動信号（１）が出力される。そのとき、ＬＥＤ駆動部１３０（１）に対応するスイッチング素子Ｑ１がオンとなり、ＬＥＤ群１４（１）が発光する。
【００５６】
これとともに、ＬＥＤ駆動部１３０（１）は、遅延回路１３１によって駆動信号を遅延させることによって得た駆動信号（２）を、次段のＬＥＤ駆動部１３０（２）へ出力する。このような処理を、ＬＥＤ駆動部１３０（２）〜１３０（ｎ−１）が順次行う。すると、ＬＥＤ群１４（１）〜１４（ｎ）の順に、各ＬＥＤ群が点灯する。そして、ＬＥＤ群１４（１）〜１４（ｎ）の順にＬＥＤ群を点灯した後は、予め設定された時間の経過後に、同様の動作を行う。
【００５７】
＜ＬＥＤ駆動部の具体的構成＞
図６は、ＬＥＤ駆動部１３０（１）〜１３０（ｎ）の具体的構成の一例を示した図である。
【００５８】
ＬＥＤ駆動部１３０は、先述の遅延回路１３１と、周期カウンタ１４１と、Ａ／Ｄコンバータ１４２と、クロック回路１４３と、乗算回路１４４とを備える。
【００５９】
クロック回路１４３は、遅延回路１３１及び周期カウンタ１４１にクロック信号を供給する。周期カウンタ１４１は、ＬＥＤ駆動部１３０Ａが受け付けた駆動信号、例えば、駆動信号（１）の１周期分のクロック数を計数し、得られた値を駆動信号の１周期Ｔｐとして、周期カウンタ１４１及び遅延回路１３１に出力する。
【００６０】
Ａ／Ｄコンバータ１４２は、分圧抵抗Ｒ１１及びＲ１２による分圧電圧Ｖ１１を、基準電圧Ｖ１を基準としてデジタル化する。乗算回路１４４は、周期カウンタ１４１により得られた駆動信号の周期を表すクロック数と、Ａ／Ｄコンバータ１４２により得られたデジタル値とを乗算する。遅延回路１３１は、乗算回路１４４により得られた乗算値を遅延時間とし、その遅延時間だけ駆動信号（１）を遅延させ、駆動信号（２）として出力する。
【００６１】
この構成によると、周期カウンタ１４１によって、カウント値Ｃ（Ｔｐ）が駆動信号の１周期として得られる。そして、乗算回路１４４によって、駆動信号の１周期分としてのカウント値Ｃ（Ｔｐ）と、Ａ／Ｄコンバータ１４２によって得られた値｛Ｖ１／Ｖ１１｝との積が求められ、遅延時間Ｔ１として遅延回路１３１に入力される。遅延回路１３１は、入力された遅延時間Ｔ１分、駆動信号を遅延させて当該駆動信号を次段のＬＥＤ駆動部１３０へ出力する。
【００６２】
以上のように、Ｔ１＝Ｃ（Ｔｐ）×（Ｖ１１／Ｖ１）・・・式（２）が得られるので、定電圧回路１３２の電圧値Ｖ１と分圧電圧Ｖ１１とを設定することにより、簡易に遅延時間Ｔ１が得られる。
【００６３】
また、先述の式（２）を変形することで、Ｔ１：Ｃ（Ｔｐ）＝Ｖ１１：Ｖ１という関係が成り立つ。
【００６４】
＜遅延時間の設定＞
式（２）より、Ｃ（Ｔｐ）を駆動信号の１周期Ｔｐとすると、遅延時間Ｔ１と駆動信号の周期Ｔｐとの比が、分圧電圧Ｖ１１と定電圧回路１３３の電源値Ｖ１との比に等しくなることが判る。
【００６５】
図７は、遅延時間Ｔ１の設定方法の一例について説明するためのタイミングチャートである。なお、以下では、ＬＥＤ駆動部１３０（１）における設定について説明するが、ＬＥＤ駆動部１３０（２）〜１３０（ｎ−１）についても同様であるため、説明を省略する。
【００６６】
先述のように、遅延時間Ｔ１と駆動信号の周期Ｔｐとの比率が、分圧電圧Ｖ１１と定電圧回路１３３の電源値Ｖ１との間の比率に等しくなるので、以下の式（３）が満たされる。
【００６７】
Ｔ１：Ｔｐ＝Ｖ１１：Ｖ１・・・式（３）
つまり、Ｔ１／Ｔｐ＝Ｖ１１／Ｖ１・・・式（４）
【００６８】
ここで、Ｖ１１＝Ｖ１｛Ｒ１１／（Ｒ１１＋Ｒ１２）｝であるので、これを式（４）に代入すると、
Ｔ１／Ｔｐ＝Ｒ１１／（Ｒ１１＋Ｒ１２）・・・式（５）
が得られる。
【００６９】
ここで、Ｔ２を駆動信号の１周期から遅延時間Ｔ１を減じた値とすると、Ｔｐ＝Ｔ１＋Ｔ２であるので、これを式（５）に代入すると、Ｔ１／（Ｔ１＋Ｔ２）＝Ｒ１１／（Ｒ１１＋Ｒ１２）が成り立つ。
【００７０】
これを変形すると、最終的には、Ｔ１／Ｔ２＝Ｒ１１／Ｒ１２・・・式（１）が成り立つ。このように、分圧抵抗の比が、遅延時間と、駆動信号の１周期から遅延時間を減じた期間との比と等しいので、分圧抵抗Ｒ１１、Ｒ１２の値を設定するだけで、遅延時間Ｔ１の設定を容易に行うことができる。
【００７１】
＜効果＞
以上説明したように、本実施の形態によると、複数のＬＥＤ駆動部１３０がカスケード接続されており、液晶画面２のＹ方向の最上位置及び最下位置のいずれか一方に駆動信号を出力すると、各ＬＥＤ駆動部は、ＬＥＤ駆動部１３０のＹ方向の配置順に、一定の遅延時間間隔で出力される。これにより、簡易な手法で、動画ぼけを抑制することができる。また、従来のように、一斉にオンオフするＬＥＤ群を制御するために、駆動信号の周波数を数百Ｈｚとしなくてもよいので、一般の商用電源の周波数の信号を駆動信号として用いることができ、周波数を変換する回路が不要であり、低コスト化が可能となる。
【００７２】
また、前述の設定方法により、ＬＥＤ駆動部１３０（１）〜１３０（４）毎に、駆動時間の設定ができるため、ＬＥＤ駆動部とそのＬＥＤ駆動部の次段のＬＥＤ駆動部との間の間隔に基づいた、最適な遅延時間の設定が可能となるので、利便性に長ける。例えば、ＬＥＤ駆動部１３０（１）とＬＥＤ駆動部１３０（２）との間の間隔にとって適切な遅延時間の設定が可能となる。また、任意の遅延時間を設定可能なので、ＬＥＤ駆動部１３０の数に応じた適切な遅延時間の設定も可能となる。
【００７３】
以上、本発明の実施の形態に係る装置について説明したが、本発明は、この実施の形態に限定されるものではない。
【００７４】
以上、本発明のバックライト装置４及び表示装置１ついて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００７５】
本発明は、バックライト装置及び表示装置に適用でき、特に、放送局からの映像信号を受け付けて画像を表示可能なテレビジョン等に適用できる。
【符号の説明】
【００７６】
１  表示装置
２  液晶画面
４  バックライト装置
１４（１）〜１４（ｎ）  ＬＥＤ群
１２０  ＳＯＣ
１３０（１）〜１３０（ｎ）  ＬＥＤ駆動部
１４０  ＬＥＤ
１４１  周期カウンタ
１４４  乗算回路
Ｒ１１、Ｒ１２、Ｒ２１、Ｒ２２、Ｒ３１、Ｒ３２、Ｒ４１、Ｒ４２  分圧抵抗
Ｘ  主走査方向
Ｙ  副走査方向
【図１】
2014206606.tif 000003
【図２】
2014206606.tif 000004
【図３】
2014206606.tif 000005
【図４】
2014206606.tif 000006
【図５】
2014206606.tif 000007
【図６】
2014206606.tif 000008
【図７】
2014206606.tif 000009
【図８】
2014206606.tif 000010
【図９】
2014206606.tif 000011
【図１０】
2014206606.tif 000012
【図１１】
2014206606.tif 000013